(57)【要約】【課題】  録画するための残容量に係わりなく放送信号を録画するとともに、ネットワークを有効に利用する。【解決手段】  ネットワーク２に接続されたテレビジョン受像機１００，１００Ａを含み、テレビジョン受像機１００，１００Ａそれぞれは、放送信号が入力されるチューナと、放送信号を録画する録画装置１２１と、録画予約情報が入力される予約設定部１１と、録画予約情報が入力されることに応じて、録画予約情報で定まる録画時間分の放送信号を録画装置１２１に残された残容量で録画可能か否かを判定する比較部１３とを備えており、テレビジョン受像機１００は、テレビジョン受像機１００Ａに録画を指示する代行録画指示部１５をさらに備え、テレビジョン受像機１００Ａは、代行録画指示が受信された場合、録画予約情報に従って録画する録画制御部１７を備える。【選択図】        図４
2007049538.tif 000002
【特許請求の範囲】
【請求項１】
ネットワークに接続された複数の録画装置を含む録画システムであって、
前記複数の録画装置それぞれは、
放送信号を入力するための放送信号入力手段と、
前記入力された放送信号を録画する録画手段と、
少なくとも録画時間を含む録画予約情報が入力される予約設定手段と、
前記入力された録画予約情報で定まる録画時間分の放送信号を前記録画手段に残された残容量で前記録画手段に録画可能か否かを判定する判定手段と、を備えており、
前記複数の録画装置は、第１の録画装置と第２の録画装置を含み、
前記第１の録画装置は、前記判定手段による判定結果に基づいて、前記第２の録画装置に前記録画予約情報に基づく録画を指示する代行録画指示手段をさらに備え、
前記第２の録画装置は、前記第１の録画装置から前記代行録画指示が受信された場合、前記判定手段による判定結果に基づいて、前記録画手段を制御して該受信された代行録画指示に含まれる録画予約情報に従って録画する録画制御手段をさらに備える、録画システム。
【請求項２】
ネットワークに接続され、該ネットワークに接続された他の録画装置と通信可能な録画装置であって、
放送信号を入力するための放送信号入力手段と、
前記入力された放送信号を録画する録画手段と、
少なくとも録画時間を含む録画予約情報が入力される予約設定手段と、
前記入力された録画予約情報で定まる録画時間分の放送信号を前記録画手段に録画するのに必要な記録容量を算出する記録容量算出手段と、
前記算出された記録容量と前記録画手段に残された残容量とを比較する比較手段と、
前記比較手段による比較結果に基づいて、前記他の録画装置に前記録画予約情報に従って録画させる代行録画指示手段と、を備えた録画装置。
【請求項３】
前記代行録画指示手段は、前記他の録画装置に前記録画予約情報を送信して、前記録画予約情報に従った録画が可能か否かを示す代行録画可否情報を受信する代行録画可否調査手段を含む、請求項２に記載の録画装置。
【請求項４】
録画された放送信号に関連する録画情報を表示する録画情報表示手段をさらに備え、
前記録画情報表示手段は、前記代行録画指示手段により代行録画指示されて録画されたことを示す代行依頼情報を表示する代行依頼情報表示手段を含む、請求項３に記載の録画装置。
【請求項５】
前記録画手段に録画された放送信号の再生指示を受付ける再生指示受付け手段と、
前記再生指示された放送信号が前記代行録画指示手段により代行録画指示されて録画されたものである場合、該放送信号を代行録画した前記他の録画装置に再生要求する再生要求手段と、をさらに備えた請求項３に記載の録画装置。
【請求項６】
ネットワークに接続され、該ネットワークに接続された他の録画装置と通信可能な録画装置であって、
放送信号を入力するための放送信号入力手段と、
前記入力された放送信号を録画する録画手段と、
少なくとも録画時間を含む録画予約情報が入力される予約設定手段と、
前記入力された録画予約情報で定まる録画時間分の放送信号を前記録画手段に録画するのに必要な記録容量を算出する記録容量算出手段と、
前記算出された記録容量と前記録画手段に残された残容量とを比較する比較手段と、
前記予約設定手段は、前記録画予約情報を前記他の録画装置から受信する録画予約情報受信手段を含み、
前記録画予約情報受信手段により前記他の録画装置から前記録画予約情報が受信された場合、前記比較手段による比較結果に基づいて、前記録画手段を制御して該受信された録画予約情報に従って録画する録画制御手段と、を備えた録画装置。
【請求項７】
前記録画制御手段は、前記比較手段による比較結果により定まる代行録画可否情報を前記他の録画装置に送信する代行録画可否情報送信手段を含む、請求項６に記載の録画装置。
【請求項８】
録画された放送信号に関連する録画情報を表示する録画情報表示手段をさらに備え、
前記録画情報表示手段は、前記録画予約情報受信手段により前記他の録画装置から受信された前記録画予約情報に従って録画されたことを示す代行録画情報を表示する代行録画情報表示手段を含む、請求項６に記載の録画装置。
【請求項９】
前記録画手段に録画された放送信号の再生指示を受付ける再生指示受付手段をさらに備え、
前記再生指示受付手段は、前記他の録画装置から前記再生指示を受信する再生指示受信手段を含み、
前記再生指示受信手段により前記再生指示が受信された場合、該再生指示で特定される放送信号を、前記再生指示を送信してきた前記他の録画装置に送信する放送信号送信手段と、をさらに備えた請求項６に記載の録画装置。
【請求項１０】
ネットワークに接続され、該ネットワークに接続された他の録画装置と通信可能な録画装置で実行される代行録画指示プログラムであって、
放送信号を入力するステップと、
少なくとも録画時間を含む録画予約情報を入力するステップと、
前記入力された録画予約情報で定まる録画時間分の放送信号を録画するのに必要な記録容量を算出するステップと、
前記算出された記録容量と残された残容量とを比較するステップと、
前記比較手段による比較結果に基づいて、前記他の録画装置に前記録画予約情報に従って録画させるステップと、をコンピュータに実行させる代行録画指示プログラム。
【発明の詳細な説明】
【技術分野】
【０００１】
この発明は録画システム、録画装置および代行録画指示プログラムに関し、特にネットワークに接続された録画装置で構成される録画システム、ネットワークに接続された録画装置およびその録画装置で実行される代行録画指示プログラムに関する。
【背景技術】
【０００２】
近年、ハードディスクを搭載し、デジタル放送で受信された放送信号を録画する録画装置が流通している。ハードディスクは大容量のデータを記録することが可能であるが、その録画容量には限界がある。このため、放送信号を受信した装置からネットワークに接続された複数のハードディスクに、ネットワークを介して大容量の放送信号であるトランスポートストリームを送信することにより、複数のハードディスクに放送信号を分割して記録させる技術が特開２００３−１９９０１２号公報（特許文献１）に記載されている。
【０００３】
しかしながら、特開２００３−１９９０１２号公報に記載の技術は、録画中にトランスポートストリームを送信するため、ネットワーク資源が使用され、通信効率が悪くなるといった問題がある。また、録画中に映像信号を受信する装置と、トランスポートストリームを受信して記録するハードディスクとの少なくとも２つの装置に電源が投入されている必要があり、消費電力が大きくなるといった問題がある。
【特許文献１】特開２００３−１９９０１２号公報
【発明の開示】
【発明が解決しようとする課題】
【０００４】
この発明は上述した問題点を解決するためになされたもので、この発明の目的の１つは、録画するための残容量に係わりなく放送信号を録画することができるとともに、ネットワークを有効に利用することが可能な録画システム、録画装置および代行録画指示プログラムを提供することである。
【０００５】
この発明の他の目的は、録画するための残容量に係わりなく放送信号を録画することができるとともに、消費電力を低減することが可能な録画システム、録画装置および代行録画指示プログラムを提供することである。
【課題を解決するための手段】
【０００６】
上述した目的を達成するためにこの発明のある局面によれば、録画システムは、ネットワークに接続された複数の録画装置を含む録画システムであって、複数の録画装置それぞれは、放送信号を入力するための放送信号入力手段と、入力された放送信号を録画する録画手段と、少なくとも録画時間を含む録画予約情報が入力される予約設定手段と、入力された録画予約情報で定まる録画時間分の放送信号を録画手段に残された残容量で録画手段に録画可能か否かを判定する判定手段と、を備えており、複数の録画装置は、第１の録画装置と第２の録画装置を含み、第１の録画装置は、判定手段による判定結果に基づいて、第２の録画装置に録画予約情報に基づく録画を指示する代行録画指示手段をさらに備え、第２の録画装置は、第１の録画装置から代行録画指示が受信された場合、判定手段による判定結果に基づいて、録画手段を制御して該受信された代行録画指示に含まれる録画予約情報に従って録画する録画制御手段をさらに備える。
【０００７】
この発明に従えば、ネットワークに接続された第１の録画装置と第２の録画装置を含み、それぞれが入力された放送信号を録画する録画手段を備えており、録画予約情報が入力されると、録画予約情報で定まる録画時間分の放送信号を録画手段に残された残容量で録画手段に録画可能か否かが判定される。第１の録画装置は、判定結果に基づいて、第２の録画装置に録画予約情報に基づく録画を指示し、第２の録画装置は、第１の録画装置から代行録画指示が受信された場合、判定結果に基づいて、録画手段を制御して該受信された代行録画指示に含まれる録画予約情報に従って録画する。このため、録画装置に録画する残容量が残されていない場合であっても、ネットワークに接続されたいずれかの録画装置に放送信号が録画される。さらに、第２の録画装置で録画するために第１の録画装置から放送信号を送信する必要がない。その結果、録画するための残容量に係わりなく放送信号を録画することができるとともに、ネットワークを有効に利用することが可能な録画システムを提供することができる。また、第２の録画装置で録画中に第１の録画装置に電源が投入されている必要はないので、録画するための残容量に係わりなく放送信号を録画することができるとともに、消費電力を低減することが可能な録画システムを提供することができる。
【０００８】
この発明の他の局面によれば、録画装置は、ネットワークに接続され、該ネットワークに接続された他の録画装置と通信可能な録画装置であって、放送信号を入力するための放送信号入力手段と、入力された放送信号を録画する録画手段と、少なくとも録画時間を含む録画予約情報が入力される予約設定手段と、入力された録画予約情報で定まる録画時間分の放送信号を録画手段に録画するのに必要な記録容量を算出する記録容量算出手段と、算出された記録容量と録画手段に残された残容量とを比較する比較手段と、比較手段による比較結果に基づいて、他の録画装置に録画予約情報に従って録画させる代行録画指示手段と、を備える。
【０００９】
この発明に従えば、入力された放送信号を録画する録画手段を備えており、録画予約情報が入力されると録画予約情報で定まる録画時間分の放送信号を録画手段に残された残容量で録画手段に録画可能か否かが判定され、判定結果に基づいて、他の録画装置に録画予約情報に従って録画させる。このため、録画する残容量が残されていない場合であっても、ネットワークで接続された他の録画装置に録画される。さらに、他の録画装置で録画するために放送信号を送信する必要がない。その結果、録画するための残容量に係わりなく放送信号を録画することができるとともに、ネットワークを有効に利用することが可能な録画装置を提供することができる。また、他の録画装置で録画中に電源が投入されている必要はないので、録画するための残容量に係わりなく放送信号を録画することができるとともに、消費電力を低減することが可能な録画システムを提供することができる。
【００１０】
好ましくは、代行録画指示手段は、他の録画装置に録画予約情報を送信して、録画予約情報に従った録画が可能か否かを示す代行録画可否情報を受信する代行録画可否調査手段を含む。
【００１１】
この発明に従えば、他の録画装置に録画予約情報を送信して、録画予約情報に従った録画が可能か否かを示す代行録画可否情報を受信するので、録画可能な録画装置を検出することができる。
【００１２】
好ましくは、録画された放送信号に関連する録画情報を表示する録画情報表示手段をさらに備え、録画情報表示手段は、代行録画指示手段により代行録画指示されて録画されたことを示す代行依頼情報を表示する代行依頼情報表示手段を含む。
【００１３】
この発明に従えば、録画された放送信号に関連する録画情報を表示する際に、代行録画指示されて録画されたことを示す代行依頼情報が表示される。このため、放送信号が他の録画装置に録画されたことをユーザに知らせることができる。
【００１４】
好ましくは、録画手段に録画された放送信号の再生指示を受付ける再生指示受付け手段と、再生指示された放送信号が代行録画指示手段により代行録画指示されて録画されたものである場合、該放送信号を代行録画した他の録画装置に再生要求する再生要求手段と、をさらに備える。
【００１５】
この発明に従えば、録画された放送信号の再生指示が受付けられると、再生指示された放送信号が代行録画指示されて録画されたものである場合、該放送信号を代行録画した他の録画装置に再生要求する。このため、他の録画装置に録画された放送信号の再生指示がされると、他の録画装置に再生させて受け取ることができる。
【００１６】
この発明のさらに他の局面によれば、録画装置は、ネットワークに接続され、該ネットワークに接続された他の録画装置と通信可能な録画装置であって、放送信号を入力するための放送信号入力手段と、入力された放送信号を録画する録画手段と、少なくとも録画時間を含む録画予約情報が入力される予約設定手段と、入力された録画予約情報で定まる録画時間分の放送信号を録画手段に録画するのに必要な記録容量を算出する記録容量算出手段と、算出された記録容量と録画手段に残された残容量とを比較する比較手段と、予約設定手段は、録画予約情報を他の録画装置から受信する録画予約情報受信手段を含み、録画予約情報受信手段により他の録画装置から録画予約情報が受信された場合、比較手段による比較結果に基づいて、録画手段を制御して該受信された録画予約情報に従って録画する録画制御手段と、を備える。
【００１７】
この発明に従えば、入力された放送信号を録画する録画手段を備えており、他の録画装置から録画予約情報が受信された場合、録画予約情報で定まる録画時間分の放送信号を録画するのに必要な記録容量を算出し、算出された記録容量と残された残容量とを比較し、比較結果に基づいて、受信された録画予約情報に従って記録する。このため、他の録画装置から録画予約情報が入力されると、残された残容量で録画可能であれば録画するので、ネットワークに接続された他の録画装置に代わって放送信号を録画する。このため、録画するために他の録画装置から放送信号を受信する必要がない。その結果、録画するための残容量に係わりなく放送信号を録画することができるとともに、ネットワークを有効に利用することが可能な録画装置を提供することができる。また、録画中に他の録画装置に電源が投入されている必要はないので、録画するための残容量に係わりなく放送信号を録画することができるとともに、消費電力を低減することが可能な録画装置を提供することができる。
【００１８】
好ましくは、録画制御手段は、比較手段による比較結果により定まる代行録画可否情報を他の録画装置に送信する代行録画可否情報送信手段を含む。
【００１９】
好ましくは、録画された放送信号に関連する録画情報を表示する録画情報表示手段をさらに備え、録画情報表示手段は、録画予約情報受信手段により他の録画装置から受信された録画予約情報に従って録画されたことを示す代行録画情報を表示する代行録画情報表示手段を含む。
【００２０】
この発明に従えば、録画された放送信号に関連する録画情報を表示する際に、他の録画装置から受信された録画予約情報に従って録画されたことを示す代行録画情報が表示されるので、録画された放送信号が他の録画装置に代わって録画されたものであることをユーザに知らせることができる。
【００２１】
好ましくは、録画手段に録画された放送信号の再生指示を受付ける再生指示受付手段をさらに備え、再生指示受付手段は、他の録画装置から再生指示を受信する再生指示受信手段を含み、再生指示受信手段により再生指示が受信された場合、該再生指示で特定される放送信号を、再生指示を送信してきた他の録画装置に送信する放送信号送信手段と、をさらに備える。
【００２２】
この発明に従えば、他の録画装置から再生指示が受付けられると、再生指示で特定される放送信号が再生指示を送信してきた他の録画装置に送信されるので、他の録画装置で入力された録画予約情報に従って録画した放送信号を他の録画装置で再生することができる。
【００２３】
この発明のさらに他の局面によれば、代行録画指示プログラムは、ネットワークに接続され、該ネットワークに接続された他の録画装置と通信可能な録画装置で実行される代行録画指示プログラムであって、放送信号を入力するステップと、少なくとも録画時間を含む録画予約情報を入力するステップと、入力された録画予約情報で定まる録画時間分の放送信号を録画するのに必要な記録容量を算出するステップと、算出された記録容量と残された残容量とを比較するステップと、比較手段による比較結果に基づいて、他の録画装置に録画予約情報に従って録画させるステップと、をコンピュータに実行させる。
【００２４】
この発明に従えば、録画するための残容量に係わりなく放送信号を録画することができるとともに、ネットワークを有効に利用することが可能な代行録画指示プログラムを提供することができる。また、録画中に録画装置に電源が投入されている必要はないので、録画するための残容量に係わりなく放送信号を録画することができるとともに、消費電力を低減することが可能な代行録画指示プログラムを提供することができる。
【発明を実施するための最良の形態】
【００２５】
以下、本発明の実施の形態について図面を参照して説明する。以下の説明では同一の部品には同一の符号を付してある。それらの名称および機能も同じである。したがってそれらについての詳細な説明は繰返さない。
【００２６】
図１は、本発明の実施の形態の１つにおける録画システムの全体概要を示す図である。図１を参照して、録画システム１は、それぞれがネットワーク２に接続されたテレビジョン受像機１００，１００Ａと、コンピュータ２００とを含む。
【００２７】
コンピュータ２００は、一般的なパーソナルコンピュータであり、その構成は周知なのでここでは説明を繰り返さない。コンピュータ２００は、録画装置であり、放送信号を受信するためのチューナ、受信した放送信号をデコードするためのＡＶデコーダを備えている。また、コンピュータ２００は、受信した放送信号をハードディスクユニットに記録することが可能である。チューナおよびＡＶデコーダは、テレビジョン受像機１００，１００Ａが備えるそれらと機能は同じであり、それらについては後述する。
【００２８】
また、コンピュータ２００は、代行録画指示プログラムを記録したＣＤ−ＲＯＭ（Ｃｏｍｐａｃｔ  Ｄｉｓｃ−Ｒｅａｄ  Ｏｎｌｙ  Ｍｅｍｏｒｙ）２０１が着脱可能である。コンピュータ２００は、ＣＤ−ＲＯＭ２０１から代行録画指示プログラムを読み出して、ハードディスクユニットに記憶する。コンピュータ２００のＣＰＵ（Ｃｅｎｔｒａｌ  Ｐｒｏｃｅｓｓｉｎｇ  Ｕｎｉｔ）では、ハードディスクユニットに記憶された代行録画指示プログラムをＲＡＭ（Ｒａｎｄｏｍ  Ａｃｃｅｓｓ  Ｍｅｍｏｒｙ）にロードして実行する。
【００２９】
なお、プログラムを記憶する記録媒体としては、ＣＤ−ＲＯＭ２０１に限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  ａｎｄ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の固定的にプログラムを担持する媒体でもよい。また、コンピュータ２００が、インターネットに接続された他のコンピュータからプログラムをダウンロードするようにしてもよい。
【００３０】
ここでいうプログラムは、ＣＰＵにより直接実行可能なプログラムだけでなく、ソースプログラム形式のプログラム、圧縮処理されたプログラム、暗号化されたプログラム等を含む。
【００３１】
本実施の形態におけるコンピュータ２００では、ハードディスクユニットに放送信号を記録するための領域が予め定められており、代行録画指示プログラムが実行されると、ハードディスクユニットの放送信号を記録するための領域の状態に従って、代行録画指示処理が実行される。この代行録画指示処理は、テレビジョン受像機１００，１００Ａで実行される代行録画指示処理と同じてあり、後述する。
【００３２】
テレビジョン受像機１００，１００Ａは、その機能および構成は同じなので、ここではテレビジョン受像機１００を例に説明する。ネットワーク２は、ローカルエリアネットワーク（ＬＡＮ）であり、接続形態は有線または無線を問わない。またネットワーク２は、ＬＡＮに限らず、インターネットなどのワイドエリアネットワーク（ＷＡＮ）、一般公衆回線を用いたネットワーク等であってもよい。
【００３３】
なお、ここでは２台のテレビジョン受像機１００，１００Ａと、コンピュータ２００とをネットワーク２に接続する例を示すが、それらの台数を限定するものではない。録画システムにおいては、ネットワーク２を介して複数のテレビジョン受像機１００，１００Ａが接続されていればよい。
【００３４】
図２は、テレビジョン受像機の構成の概略を示す図である。図２を参照して、テレビジョン受像機１００は、放送電波を受信するアンテナ１０２に接続されており、アンテナ１０２から出力される放送信号がチューナ１０３に入力される。放送信号は、映像データおよび音声データを含む高周波デジタル変調信号である。チューナ１０３は、アンテナ１０２から入力される高周波デジタル変調信号から特定の周波数の信号を取り出す。また、チューナ１０３は、逆インターリーブ回路、誤り訂正回路を備えており、取り出した特定の周波数の高周波デジタル変調信号を復調してトランスポート・ストリーム（以下「ＴＳ」という）をデマルチプレクサ（ＤＥＭＡＸ）１０５に出力する。チューナ１０３で選択する特定の周波数は、後述するシステムコントローラ１０１により指定される。
【００３５】
ＤＥＭＡＸ１０５は、チューナ１０３から受け取ったＴＳを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、ＰＳＩ（Ｐｒｏｇｒａｍ  Ｓｐｅｃｉｆｉｃ  Ｉｎｆｏｒｍａｔｉｏｎ）、およびダウンロードプログラムパケットに分離する。ＤＥＭＡＸ１０５は、ビデオトランスポートパケットとオーディオトランスポートパケットをＡＶデコーダ１０７および切換部１１９に供給し、ＰＳＩに含まれるサービス情報やダウンロードプログラムをシステムコントローラ１０１に供給する。なお、ＴＳには複数のチャネルが多重化されており、この中から任意のチャネルを選択するための処理は、ＰＳＩから任意のチャネルがＴＳ中でどのパケットＩＤで多重化されているかといったデータを取り出すことで可能となる。また、ダウンロードプログラム自体およびその抽出のためのＩＤも、ＰＳＩから取り出すことができる。さらに、ＴＳの選定(トランスポンダの選定）もＰＳＩの情報に基づいて行うことができる。
【００３６】
ＡＶデコーダ１０７は、ビデオトランスポートパケットに対してデコードを行うビデオデコーダ、およびオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行い、映像信号を生成する。オーディオデコーダは、入力された符号化信号を復号して音声信号を生成する。ＡＶデコーダ１０７により生成された映像信号は映像処理回路１０９に出力され、音声信号は音声処理回路１１１に出力される。
【００３７】
映像処理回路１０９はＡＶデコーダ１０７から映像信号を受け取り、Ｄ／Ａ（デジタル／アナログ）変換を行い、映像出力回路１１３およびＡＶエンコーダ１１７に出力する。映像出力回路１１３は、映像信号を、増幅した後外部に出力する。映像出力回路１１３には、表示装置が接続され、映像出力回路１１３から出力される映像信号に従って表示装置に映像が表示される。表示装置は、たとえば、プラズマディスプレイパネル、液晶表示装置または陰極線管（ＣＲＴ）などである。音声処理回路１１１はＡＶデコーダ１０７から音声信号を受け取り、Ｄ／Ａ変換を行い、右（Ｒ）音のアナログ信号および左（Ｌ）音のアナログ信号を生成し、音声出力回路１１５およびＡＶエンコーダ１１７に出力する。音声出力回路１１５は、音声信号を増幅した後外部に出力する。音声出力回路１１５には、スピーカが接続され、音声出力回路１１５から出力される音声信号に従ってスピーカから音が出力される。
【００３８】
ＡＶエンコーダ１１７には、映像処理回路１０９からアナログの映像信号が入力され、音声処理回路１１１からアナログの音声信号が入力される。ＡＶエンコーダ１１７は、Ａ／Ｄ（アナログ／デジタル）コンバータと、ビデオエンコーダと、オーディオエンコーダとを含む。ビデオエンコーダには、アナログの映像信号が入力される。ビデオエンコーダは、入力されるアナログの映像信号をデジタルに変換し、ＭＰＥＧビデオ規格に従って符号化し、符号化した映像データをマルチプレクサ１１８に出力する。
【００３９】
Ａ／Ｄコンバータは、アナログ信号の音声信号が入力される。Ａ／Ｄコンバータは、入力されるアナログの音声信号をデジタルに変換して、オーディオエンコーダに出力する。オーディオエンコーダは、入力されるデジタルの音声信号をＭＰＥＧ／ＡＣ３またはリニアＰＣＭ（Ｐｕｌｓｅ  Ｃｏｄｅ  Ｍｏｄｕｌａｔｉｏｎ）のいずれかのオーディオ規格に従って符号化し、符号化した音声信号をマルチプレクサ１１８に出力する。マルチプレクサ１１８は、符号化された映像信号と符号化された音声信号とをパケット化して時分割多重化する。時分割多重化されたデータは、ＭＰＥＧ−ＰＳ（Ｐｒｏｇｒａｍ  Ｓｔｒｅａｍ）という。ＭＰＥＧ-ＰＳは、切換部１１９に出力される。
【００４０】
切換部１１９には、ＤＥＭＡＸ１０５からＴＳが入力され、マルチプレクサ１１８からＭＰＥＧ−ＰＳが入力される。切換部１１９には、システムコントローラ１０１から制御信号が入力され、ＴＳまたはＭＰＥＧ−ＰＳのいずれかが記録装置１２１に出力されて記録される。ＴＳは、可変ビットレートであり、ＭＰＥＧ−ＰＳは固定ビットレートとしている。ＴＳを記録する記録方式をここではＴＳ記録といい、ＭＰＥＧ−ＰＳを記録する記録方式をここでは再エンコード記録という。再エンコード記録の記録方式は、固定ビットレートで符号化されたデータを記録するので、記録する番組の時間がわかれば記録装置１２１に記録するのに必要とされる録画容量を算出することができる。一方、ＴＳ記録の記録方式は、可変ビットレートで符号化されたデータを記録するので、記録する番組の時間からは記録装置１２１に記録するのに必要とされる録画容量を正確に算出することはできないが、ある程度の誤差はあるが、録画容量を予測することは可能である。
【００４１】
記録装置１２１は、ハードディスクユニットであり、システムコントローラ１０１により制御される。記録装置１２１は、ハードディスクに限られず、フレキシブルディスク、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）などの半導体メモリ等であってもよい。システムコントローラ１０１は、記録装置１２１の空き容量（残容量）を取得することが可能である。また、記録装置１２１は、システムコントローラ１０１からの指令により、切換部１１９から出力されるＴＳまたはＭＰＥＧ−ＰＳを記録する。
【００４２】
不揮発性メモリ１３３は、システムコントローラ１０１に接続されたＥＥＰＲＯＭである。不揮発性メモリ１３３は、録画予約情報および録画情報を記録する。録画予約情報は、録画を予約する番組を識別するための番組識別情報と、録画時間と、記録場所情報とを少なくとも含む。録画時間は、開始時刻および終了時刻であってもよい。録画情報は、記録装置１２１に記録された番組に関する情報である。
【００４３】
ＯＳＤ（オンスクリーンディスプレイ)表示回路１２３は、システムコントローラ１０１から出力指示された文字情報に基づくビットマップデータを加算器１１０に出力する。ＯＳＤ表示回路１２３により、システムコントローラ１０１が受け取ったＰＳＩに含まれるサービス情報に基づくＥＰＧ（Ｅｌｅｃｔｒｏｎｉｃ  Ｐｒｏｇｒａｍ  Ｇｕｉｄｅ）画面、操作ガイド画面またはダウンロードソフトウェアの選択画面が映像出力回路１１３に出力される。また、ＯＳＤ表示回路１２３により、後述する録画初期設定画面、録画予約設定画面、録画ファイル一覧画面が映像出力回路１１３に出力され、表示装置に表示される。
【００４４】
リモコン送信機１３１は、テレビジョン受像機１００に指令を送出するための送信機である。このリモコン送信機１３１に設けられたキーがユーザにより操作されると、そのキーに対応した指令を意味する信号光(リモコン信号)が発光部から送出される。リモコン受光器１２９は、リモコン送信機１３１が送出するリモコン信号を受光する。そして受光したリモコン信号をシステムコントローラ１０１に出力する。これにより、ユーザは、リモコン送信機１３１を操作することにより、システムコントローラ１０１に指令を入力することが可能となる。
【００４５】
操作部１３５は、テレビジョン受像機１００の前面に設けられたキーボードである。操作部１３５に設けられたキーがユーザにより操作されると、そのキーに対応した指令を意味する信号がシステムコントローラ１０１に入力される。このため、ユーザは、操作部１３５を操作することにより、システムコントローラ１０１に指令を入力することが可能となる。
【００４６】
テレビジョン受像機１００は、テレビジョン受像機１００に電源を供給するための電源回路１２７と、テレビジョン受像機１００をネットワーク２に接続するための通信Ｉ／Ｆ１２５とをさらに備える。電源回路１２７は、電源コンセントに接続されており、電源コンセントから供給される電力をテレビジョン受像機１００に供給する。電源回路１２７は、テレビジョン受像機１００の主電源がＯＦＦの状態にあるときであっても、システムコントローラ１０１および通信Ｉ／Ｆ１２５には電力を供給する。通信Ｉ／Ｆ１２５は、テレビジョン受像機１００をネットワーク２と接続するための通信インターフェイスである。これにより、テレビジョン受像機１００は、他のテレビジョン受像機１００Ａまたはコンピュータ２００との間で通信することが可能となる。テレビジョン受像機１００と、他のテレビジョン受像機１００Ａおよびコンピュータ２００とは、ネットワーク２を介して接続されるが、シリアルインターフェイスまたはパラレルインターフェイスを用いて直接接続されてもよい。通信Ｉ／Ｆ１２５は、テレビジョン受像機１００と、他のテレビジョン受像機１００Ａおよびコンピュータ２００との接続形態に応じたインターフェイスが用いられる。
【００４７】
図３は、録画初期設定画面の一例を示す図である。図３を参照して、録画初期設定画面は、録画予約実行時に記録装置１２１の残容量が不足している場合の処理を設定するための画面である。次の３つの設定が可能である。
（１）残り容量一杯録画する。記録装置１２１に残された残容量で記録できるまで記録する設定とされる。この場合には、番組の全てが記録されないことになる。
（２）ネットワーク上の機器で録画代行する。この設定がされている録画装置では、次に説明する代行録画処理が実行される。
（３）録画実行しない。
【００４８】
本実施の形態における録画システム１では、テレビジョン受像機１００が初期設定画面で「（２）ネットワーク上の装置で録画代行する」に設定されている場合、記録装置１２１の残容量が少ない場合であっても、その録画予約に基づく録画を他の録画装置で録画させる。ここでは説明のために、テレビジョン受像機１００の記録装置１２１の残容量が少なく、ユーザがテレビジョン受像機１００を操作して録画予約を設定したとして、テレビジョン受像機１００Ａで録画予約が設定され、録画される場合を例に説明する。ここでは説明のため、ユーザが録画予約の操作を行うテレビジョン受像機１００を録画予約設定装置といい、録画予約が設定されて実際に録画するテレビジョン受像機１００Ａを代行録画装置という。
【００４９】
図４は、システムコントローラの録画予約設定時における機能を示す機能ブロック図である。図４を参照して、録画予約設定装置であるテレビジョン受像機１００のシステムコントローラ１０１は、予約設定部１１と、比較部１３と、代行録画指示部１５とを含む。予約設定部１１は、ＯＳＤ表示回路１２３と接続されており、ＯＳＤ表示回路１２３に録画予約設定画面を出力させる。これにより、表示装置に録画予約設定画面が表示される。
【００５０】
表示装置に録画予約設定画面が表示されると、ユーザが操作部１３５またはリモコン送信機１３１を操作して録画予約情報を入力して、録画予約の設定が可能となる。予約設定部１１は、リモコン受光器１２９および操作部１３５と接続されており、ユーザが入力した録画予約情報が入力される。なお、ユーザが予約設定画面で指定する番組を特定するためにＥＰＧ画面を、ＯＳＤ表示回路１２３に出力させるようにしてもよい。予約設定部１１に入力される録画予約情報は、比較部１３に出力される。録画予約情報は、録画を予約する番組を特定するための番組識別情報（番組名）を少なくとも含み、記録方式と画質を含んでもよい。ここでは、録画予約情報に、番組識別情報と、画質と、記録方式を含む場合を例に説明する。
【００５１】
ここで、録画予約設定画面について説明する。図５は、録画予約設定画面の一例を示す図である。図５を参照して、録画予約設定画面は、録画予約する番組の指定と、記録する画質の指定と、録画方式の指定とが可能である。録画予約する番組の指定は、番組の年月日と、開始時刻と終了時刻と、番組名とで指定される。記録する画質は、画質の程度を指定するものであり、図では最高画質が指定されている。録画方式の指定は、上述した再エンコード記録と、ＴＳ記録のいずれかが指定される。図では、再エンコード記録が指定されている例を示している。
【００５２】
図４に戻って、比較部１３は、録画予約情報に基づいて番組の放送信号を録画するのに必要とされる記録容量を算出するための記録容量算出部１４を含む。記録容量算出部１４は、番組識別情報から特定される番組の放送時間を取得し、その時間分の映像および音声を記録するために必要な記録容量を算出する。録画予約情報に含まれる記録方式が再エンコード記録の場合には、ビットレートから正確な記録容量が算出される。記録方式がＴＳ記録の場合には、記録時間から記録容量を予測する。たとえば、予め時間当たりの記録容量を定めておき、記録容量を算出すればよい。比較部１３は、記録装置１２１の残容量を検出し、検出した残容量と記録容量算出部１４で算出された記録容量とを比較する。そして、比較結果を代行録画指示部１５に出力する。
【００５３】
代行録画指示部１５は、代行録画可否調査部１６を含む。代行録画指示部１５は、比較部１３から入力される比較結果が、残容量が記録容量よりも少ないことを示す場合、代行録画装置に代行録画指示を送信する。代行録画可否調査部１６は、代行録画指示を送信するための代行録画装置を決定する。代行録画可否調査部１６は、予めテレビジョン受像機１００Ａおよびコンピュータ２００のＩＰ（Ｉｎｔｅｒｎｅｔ  Ｐｒｏｔｏｃｏｌ）アドレス等のネットワーク２上の位置情報を記憶しており、予約設定部１１に入力された予約録画情報を、テレビジョン受像機１００Ａおよびコンピュータ２００に送信し、代行録画可否情報を受信する。代行録画可否情報は、録画予約情報に基づく録画が可能か否かを示す情報である。そして、代行録画が可能を示す代行録画可否情報を送信してきた装置を代行録画装置に決定する。ここでは、テレビジョン受像機１００Ａが代行録画装置に決定されたとしている。代行録画指示部１５は、代行録画装置に決定したテレビジョン受像機１００Ａに代行録画指示を送信し、録画予約情報を不揮発性メモリ１３３に記憶する。ここで記憶される録画予約情報は、番組識別情報と、代行録画装置に録画予約させたことを示す代行依頼情報と、代行録画指示を送信した代行録画装置を識別するための装置識別情報とを少なくとも含む。
【００５４】
通常は、録画予約情報に従って録画されると、録画情報が生成され、その録画情報は不揮発性メモリ１３３に記憶される。しかしながら録画予約情報に代行依頼情報が含まれる場合、録画予約設定装置は実際に放送信号を録画することなく、録画情報のみを生成し、その録画情報を不揮発性メモリ１３３に記憶する。この録画情報は、録画予約情報と同様に、番組識別情報と、代行依頼情報と、代行録画装置の装置識別情報とを少なくとも含む。
【００５５】
代行録画装置であるテレビジョン受像機１００Ａのシステムコントローラ１０１は、予約設定部１１と、比較部１３と、録画制御部１７とを含む。予約設定部１１は、予約情報受信部１２を含む。予約情報受信部１２は、テレビジョン受像機１００から送信されてくる録画予約情報を受信する。予約情報受信部１２は、受信した録画予約情報を比較部１３に出力する。
【００５６】
比較部１３の記録容量算出部１４は、予約情報受信部１２から入力される録画予約情報に基づいて番組を録画するのに必要とされる記録容量を算出する。比較部１３は、記録装置１２１の残容量と記録容量算出部１４で算出された記録容量とを比較し、比較結果を録画制御部１７に出力する。
【００５７】
録画制御部１７は、代行録画可否送信部１８を含む。代行録画可否送信部１８は、比較部１３から入力される比較結果に従って、代行録画可否情報をテレビジョン受像機１００に送信する。代行録画可否情報は、比較結果が、残容量が記録容量よりも少ない場合には録画できないことを示す代行録画否情報であり、そうでない場合には代行録画可情報である。
【００５８】
録画制御部１７は、また、テレビジョン受像機１００から代行録画指示が受信されると、代行録画指示に含まれる録画予約情報を不揮発性メモリ１３３に記憶することにより、録画予約を設定する。ここで記憶される録画予約情報は、番組識別情報と、テレビジョン受像機１００からの代行録画指示により代行して録画することを示す代行録画情報と、代行録画指示を送信してきた録画予約設定装置を識別するための装置識別情報とを少なくとも含む。
【００５９】
代行録画装置であるテレビジョン受像機１００Ａによって、録画予約情報に従って録画される場合、記録装置１２１に放送信号がＴＳまたはＭＰＥＧ−ＳＴで記録される。そして、録画が終了すると録画情報が生成され、その録画情報は不揮発性メモリ１３３に記憶される。録画予約情報が代行録画情報を含む場合、その録画予約情報に対応して生成される録画情報は、録画予約情報と同様に、番組識別情報と、代行録画情報と、録画予約設定装置の装置識別情報とを少なくとも含む。
【００６０】
図６は、本実施の形態における録画システムで実行される代行録画処理の流れを示すフローチャートである。図６（Ａ）は、ユーザが録画予約設定を行う録画予約設定装置で実行される録画予約設定処理の流れを示す。図６（Ｂ）は、代行録画が設定される代行録画装置で実行される代行録画予約設定処理の流れを示す。図６（Ａ）および図６（Ｂ）を参照して、録画予約設定装置であるテレビジョン受像機１００では、録画予約があるまで待機状態となっており（ステップＳ０１でＮＯ）、録画予約があればステップＳ０２に進む。すなわち、録画予約設定処理は、録画予約があることを条件に実行される処理である。録画予約ありの判断は、操作部１３５またはリモコン受光器１２９により録画用予約設定画面の表示が指示され、録画予約情報が入力されたことを検出することによりなされる。
【００６１】
ステップＳ０２では、入力された録画予約情報から録画容量が算出される。録画予約情報に含まれる番組識別情報から特定される番組の時間を取得し、その時間分の映像および音声を記録するために必要な録画容量を算出する。録画容量を算出する際に、録画予約情報に含まれる記録方式により算出方法が異なってくる。記録方式が再エンコード記録の場合には、画質からビットレートが定まり、そのビットレートから録画容量が算出される。記録方式がＴＳ記録の場合には、画質ごとに予め定められた単位時間あたりの録画容量と番組の時間とから録画容量が算出される。
【００６２】
そして、算出した録画容量が記録装置１２１の残容量よりも少ないか否かが判断される（ステップＳ０３）。真の場合にはテレビジョン受像機１００の記録装置１２１に記録するためにステップＳ１２に進み、偽の場合には代行記録をするためにステップＳ０４に進む。ステップＳ１２では、通常の録画予約設定をするためにステップＳ０１で入力された録画予約情報を不揮発性メモリ１３３に記憶する。
【００６３】
ステップＳ０４では、他機での録画が許可されているか否かが判断される。この判断は、上述した録画初期設定画面で、「ネットワーク上の機器で録画代行する」に設定されているか否かを判断する。「ネットワーク上の機器で録画代行する」に設定されていればステップＳ０５に進み、そうでない場合にはステップＳ１１に進む。ステップＳ１１では、エラーメッセージを出力するとともに、初期設定画面による設定に従って処理する。すなわち、録画予約設定画面で「（１）残り容量一杯録画する。」に設定されている場合には、録画予約設定をするために、ステップＳ０１で入力された録画予約情報を不揮発性メモリ１３３に記憶する。この場合には、記録装置１２１に残された残容量で記録できるまで記録されることになり、録画予約された番組の全てが記録されないことになる。録画予約設定画面で「（３）録画実行しない。」に設定されている場合には、そのまま処理を終了する。
【００６４】
一方、ステップＳ０５では、録画予約情報をテレビジョン受像機１００Ａに送信する。ここで、図６（Ｂ）を参照して、代行録画装置であるテレビジョン受像機１００Ａでは、録画予約情報を受信するまで待機状態となっており（ステップＳ２１でＮＯ）、録画予約情報が受信されるとステップＳ２２に進む。すなわち、テレビジョン受像機１００Ａで実行される代行録画予約設定処理は、録画予約情報が受信されることを条件に実行される処理である。
【００６５】
ステップＳ２２では、受信された録画予約情報に基づいて録画容量を算出する。この処理は、ステップＳ０２で実行される処理と同じである。そして、算出された録画容量がテレビジョン受像機１００Ａの記録装置１２１の残容量よりも小さいか否かが判断される（ステップＳ２３）。真の場合にはステップＳ２４に進み、偽の場合にはステップＳ２６に進む。ステップＳ２４では、ステップＳ２１で受信した録画予約情報が既に設定されている録画予約の時間と重なっているか否かが判断される。重なっていればステップＳ２６に進み、重なっていなければステップＳ２５に進む。同じ時刻に１つの番組しか録画できないからである。ステップＳ２５では、代行録画可能であることを示す代行録画可情報をテレビジョン受像機１００に送信した後、ステップＳ２７に進む。ステップＳ２７では、代行録画指示が受信されるまで待機状態となる。一方ステップＳ２６では、代行録画不可能であることを示す代行録画否情報をテレビジョン受像機１００に送信した後、処理を終了する。
【００６６】
再度図６（Ａ）を参照して、ステップＳ０６では、代行録画可否情報を受信すると、ステップＳ０７に進む。ステップＳ０７では、受信した代行録画可否情報が代行録画可能であることを示すか否かが判断される。受信した代行録画可否情報が代行録画可情報であればステップＳ０８に進むが、そうでなく代行録画否情報の場合にはステップＳ１０に進む。ここでは、テレビジョン受像機１００Ａから代行録画可情報を受信するため、ステップＳ０８に進むことになる。
【００６７】
ステップＳ１０は、次の録画装置があるか否かが判断される。テレビジョン受像機１００Ａから代行録画否情報が受信された場合には、次の録画装置にコンピュータ２００が設定されてステップＳ０５に進み、ステップＳ０５〜ステップＳ０６の処理が実行されることになる。すなわち、本実施の形態におけるテレビジョン受像機１００で実行される録画予約設定処理では、代行録画させる装置を、ネットワーク２に接続されている装置に順に録画予約情報を送信して問い合わせを行い、最初に代行録画可情報を送信してきた装置を代行録画装置として決定する。なお、ここでは、録画予約情報をネットワーク２に接続されている装置に順に送信して問い合わせするようにしたが、ブロードキャストで録画予約情報を送信して、最初に代行録画可情報を送信してきた装置を代行録画装置に決定するようにしてもよい。ステップＳ１０において、次の録画装置が存在しないと判断された場合、換言すれば、代行録画する装置が他に存在しない場合にはステップＳ１１に進む。この場合のステップＳ１１では、たとえば「代行録画できません。」のエラーメッセージが表示される。
【００６８】
ステップＳ０８では、代行録画指示をテレビジョン受像機１００Ａに送信する。そして、録画予約情報を不揮発性メモリ１３３に記憶する（ステップＳ０９）。ここで記憶される録画予約情報は、番組識別情報と、テレビジョン受像機１００Ａに録画予約させたことを示す代行依頼情報と、テレビジョン受像機１００Ａの装置識別情報とを少なくとも含む。
【００６９】
再び図６（Ｂ）を参照して、ステップＳ２７でテレビジョン受像機１００から代行録画指示が受信されると、ステップＳ２８に進み、代行録画指示に含まれる番組識別情報から録画予約情報を生成して、不揮発性メモリ１３３に記憶する。ここで記憶される録画予約情報は、番組識別情報と、テレビジョン受像機１００からの代行録画指示により代行して録画することを示す代行録画情報と、テレビジョン受像機１００の装置識別情報とを少なくとも含む。
【００７０】
このようにして、録画予約設定装置であるテレビジョン受像機１００および代行録画装置であるテレビジョン受像機１００Ａそれぞれで、録画予約が設定される。録画予約装置であるテレビ受像機１００は、録画予約情報に代行依頼情報が含まれる場合、録画予約情報の時刻となっても放送信号を録画しないが、録画情報を生成し、その録画情報を不揮発性メモリ１３３に記憶する。この録画情報は、番組識別情報と、代行依頼情報と、代行録画装置であるテレビジョン受像機１００Ａの装置識別情報を少なくとも含む。なお、録画予約装置であるテレビ受像機１００は、録画予約情報に代行依頼情報が含まれていない場合、録画予約情報の時刻になると放送信号をＴＳまたはＭＰＥＧ−ＳＴで記録する。そして録画が終了すると録画情報を生成し、その録画情報を不揮発性メモリ１３３に記憶する。この録画情報は、番組識別情報と、記録装置１２１に記録された放送信号のアドレスとを少なくとも含む。
【００７１】
一方、代行録画装置であるテレビジョン受像機１００Ａは、録画予約情報の時刻になると放送信号をＴＳまたはＭＰＥＧ−ＳＴで記録する。そして録画が終了すると録画情報を生成し、その録画情報を不揮発性メモリ１３３に記憶する。この録画情報は、録画予約情報に代行録画情報が含まれる場合、番組識別情報と、代行録画情報と、録画予約設定装置であるテレビジョン受像機１００の装置識別情報と、記録装置１２１に記録された放送信号のアドレスとを少なくとも含む。すなわち、録画情報は、番組識別情報と記録された放送信号とを関連付けた情報である。なお、録画情報は、録画予約情報に代行録画情報が含まれていない場合、番組識別情報と、記録装置１２１に記録された放送信号のアドレスとを少なくとも含む。
【００７２】
図７は、録画予約設定装置で表示される録画ファイル一覧画面の一例を示す図である。録画ファイル一覧画面は、不揮発性メモリ１３３に記憶されている録画情報の一部を表示するための画面である。図７を参照して、録画ファイル一覧画面は、番組識別情報としての番組名と、サムネイルと、録画年月日および時刻と、録画時間と、画質と、代行記録により他の装置に記録されたことを示す代行依頼情報とが、記録された番組ごとに表示される。サムネイルは、番組の最初の画面を縮小した画像である。代行依頼情報は、「代行記録」の文字列の次に右矢印を配置して表現され、代行録画装置で録画されたことを示す。なお、図に示す録画ファイル一覧画面では、代行録画装置の装置名などの装置識別情報を含まないが、代行録画装置の装置識別情報を表示するようにすれば、番組を録画した装置をユーザに知らせることができる。ユーザは、録画ファイル一覧画面で、録画された番組（ファイル）を指定することにより、その番組を再生するための再生指示を入力することが可能である。
【００７３】
図８は、代行録画装置で表示される録画ファイル一覧画面の一例を示す図である。図８を参照して、テレビジョン受像機１００Ａで表示される録画ファイル一覧画面は、図７に示した録画予約設定装置で表示される録画ファイル一覧画面において代行情報が付された３つのファイルにそれぞれ対応する３つの録画情報を含んでいる。それら録画情報のうち、サムネイルと、録画年月日および時刻と、録画時間と、画質とは、図７に示したそれらと同じ情報が表示されるが、図７で表示されていた代行依頼情報に代えて代行録画情報が表示される。代行情報は、右矢印の次に「代行記録」の文字列を配置して表現され、録画予約設定装置からの代行録画指示により録画されたことを示す。ユーザは、録画ファイル一覧画面で、録画された番組（ファイル）を指定することにより、その番組を再生するための再生指示を入力することが可能である。
【００７４】
＜録画予約設定処理の変形例＞
図９は、本実施の形態における録画システムで実行される代行録画処理の流れを示す別のフローチャートである。図９（Ａ）は、録画予約設定装置で実行される録画予約設定処理の別の流れを示す図である。図９（Ｂ）は、代行録画装置で実行される代行録画予約設定処理の流れを示す図である。図９（Ａ）は、図６（Ａ）と異なるところは、ステップＳ０７〜ステップＳ１０に代えて、ステップＳ３１〜ステップＳ３５が実行される点である。図９（Ｂ）は図６（Ｂ）に示した代行録画予約設定処理の流れと同じである。
【００７５】
ステップＳ３１において、次の録画装置が存在するか否かが判断され、存在すればステップＳ０５に戻り、存在しなければステップＳ３２に進む。すなわち、ステップＳ０５およびステップＳ０６が、ネットワーク２に接続されている装置の全てに対して実行されることになる。このためステップＳ３２に進む段階では、ネットワーク２に接続されている他の全ての装置、ここではテレビジョン受像機１００Ａおよびコンピュータ２００それぞれから代行録画可否情報が受信される。ステップＳ０６では、代行録画可否情報に加えて、各装置が備える記録装置１２１の残容量と、録画予約が重なっている場合には他の録画予約が存在することを示す情報とが受信される。
【００７６】
次のステップＳ３２では、他の装置の状態が表示される。状態は、ステップＳ０６で受信された代行録画可否情報と、残容量と、他の録画予約が存在する場合にはそれを示す情報とを含む。そして、ユーザは、表示された他の装置の状態から代行録画させる装置を選択することが可能となる。ユーザが操作部１３５またはリモコン送信機１３１を操作して、代行録画させる装置が指示されたか否かが判断される（ステップＳ３３）。代行録画装置が指示されればステップＳ３４に進むが、指示がなければステップＳ３２に戻る。ステップＳ３４では、指定された装置を代行録画装置に設定して代行録画指示が送信される。そして、録画予約情報が不揮発性メモリ１３３に記憶される（ステップＳ３５）。
【００７７】
図１０は、テレビジョン受像機に表示される録画予約設定画面の別の例を示す図である。図１０を参照して、図５に示した録画予約設定画面と比較して、下方に各装置の状態が表示される点が異なる。各装置の状態は、ユーザが録画予約を設定している装置（本機）と、ネットワーク２に接続されている他の全ての装置とのそれぞれについて、残容量と、代行録画可能か否かを示す情報とを含む。図では、本機の残容量は「１時間３０分」とされ、録画可否情報は「容量不足です」とされている。これにより、指定した番組を録画できない状態が示される。ネットワークに接続された装置Ａは、残容量は「２時間３０分」とされ、録画可否情報は「録画できます」とされている。これにより、指定した番組を代行録画可能である状態が示される。ネットワークに接続された装置Ｂは、残容量は「３時間３０分」とされ、録画可否情報は「他に予約があり」とされている。これにより、指定した番組を代行録画不可能である状態が示される。ネットワークに接続された装置Ｃは、残容量は「６時間１０分」とされ、録画可否情報は「録画できます」とされている。これにより、指定した番組を代行録画可能である状態が示される。
【００７８】
この代行録画処理の変形例においては、ユーザは他の装置の記録装置１２１の残容量を見て代行録画装置を指定することができる。
【００７９】
＜再生＞
次に代行録画された放送信号の再生について説明する。ここでは、テレビジョン受像機１００を操作して、テレビジョン受像機１００Ａに代行録画された放送信号を再生する場合の動作について説明する。図１１は、システムコントローラの再生時における機能を示す機能ブロック図である。図１１を参照して、テレビジョン受像機１００のシステムコントローラ１０１は、録画情報表示部２１と、再生指示入力部２３と、再生指示送信部２５と、放送信号受信部２７とを含む。
【００８０】
録画情報表示部２１は、ＯＳＤ表示回路１２３と接続されており、不揮発性メモリ１３３に記憶されている録画情報を読出し、ＯＳＤ表示回路１２３に録画ファイル一覧画面を出力させる。これにより、図７に示した録画ファイル一覧画面が表示装置に表示される。
【００８１】
録画ファイル一覧画面は、録画情報の一部を表示する画面であり、録画された放送信号の番組識別情報が少なくとも表示される。表示装置に録画ファイル一覧画面が表示されると、ユーザが操作部１３５またはリモコン送信機１３１を操作して再生を希望する番組識別情報を指定することにより、再生指示の入力が可能となる。再生指示入力部２３は、リモコン受光器１２９および操作部１３５と接続されており、ユーザによる番組識別情報の指定が入力される。再生指示入力部２３は、指定された番組識別情報に対応する録画情報が、代行依頼情報を含む場合には、その録画情報に含まれる代行録画装置の装置識別情報を再生指示送信部２５に出力する。なお、再生指示入力部２３は、指定されたファイルに代行依頼情報が付されていない場合には、その録画情報に含まれるアドレスに記憶されている放送信号を記録装置１２１から読み出し、ＡＶデコーダ１０７に復号させる。ここでは、テレビジョン受像機１００Ａに代行録画された番組識別情報が指定されとする。
【００８２】
再生指示送信部２５は、番組識別情報と、代行録画装置であるテレビジョン受像機１００Ａの装置識別情報とが入力される。再生指示送信部２５は、通信Ｉ／Ｆ１２５と接続されており、テレビジョン受像機１００Ａに再生指示を送信する。再生指示は、番組識別情報を少なくとも含む。代行装置において、記録装置１２１に録画された放送信号を特定する必要があるからである。
【００８３】
放送信号受信部２７は、ＡＶデコーダ１０７および通信Ｉ／Ｆ１２５と接続されており、通信Ｉ／Ｆ１２５を介して代行録画装置であるテレビジョン受像機１００Ａから送信されてくる放送信号を受信し、ＡＶデコーダ１０７に出力する。これにより、代行録画された放送信号がテレビジョン受像機１００のＡＶデコーダ１０７で復号され、表示装置およびスピーカから出力される。
【００８４】
代行録画装置であるテレビジョン受像機１００Ａのシステムコントローラ１０１は、再生指示受信部３１と、電源投入部３５と、放送信号送信部３３と、録画情報表示部２１とを含む。
【００８５】
再生指示受信部３１は、通信Ｉ／Ｆ１２５と接続されており、テレビジョン受像機１００から再生指示が入力される。システムコントローラ１０１および通信Ｉ／Ｆ１２５には、電源回路１２７から常に電源が供給されるが、主電源がＯＦＦの場合には他の回路、たとえば記録装置１２１には電源が供給されない。このため、再生指示受信部３１は、再生指示が受信されると、主電源がＯＦＦの場合には電源投入部３５に、記録装置１２１に電力を供給するために主電源をＯＮに切り換えさせる。その後、再生指示受信部３１は、受信した再生指示に含まれる番組識別情報と再生指示を送信してきたテレビジョン受像機１００の装置識別情報とを放送信号送信部３３に出力する。
【００８６】
放送信号送信部３３は、記録装置１２１および通信Ｉ／Ｆ１２５と接続されており、入力される番組識別情報で特定される録画情報を不揮発性メモリ１３３３から読み出す。そして、読み出した録画情報から放送信号が記憶されている記憶装置１２１のアドレスを取得し、記録装置１２１から放送信号を読み出す。そして、読み出した放送信号を、通信Ｉ／Ｆ１２５を介して再生指示を送信してきたテレビジョン受像機１００に送信する。
【００８７】
なお、テレビジョン受像機１００Ａの録画情報表示部２１は、不揮発性メモリ１３３に記憶されている録画情報を読出し、ＯＳＤ表示回路１２３に録画ファイル一覧画面を出力する。これにより、図８に示した録画ファイル一覧画面が表示装置に表示される。したがって、代行録画装置であるテレビジョン受像機１００Ａ単独で、代行録画した放送信号を再生することが可能である。
【００８８】
図１２は、本実施の形態における録画システムで実行される再生処理の流れを示すフローチャートである。ここでは、録画予約設定装置をテレビジョン受像機１００とし、代行録画装置をテレビジョン受像機１００Ａとして説明する。図１２（Ａ）は、録画予約設定装置で実行される再生処理の流れを示し、図１２（Ｂ）は、代行録画装置で実行される代行再生処理の流れを示す。
【００８９】
図１２（Ａ）および図１２（Ｂ）を参照して、テレビジョン受像機１００では、再生指示があるまで待機状態となっており（ステップＳ４１でＮＯ）、再生指示があればステップＳ４２に進む。すなわち、再生処理は、再生指示があることを条件に実行される処理である。再生指示ありの判断は、操作部１３５またはリモコン受光器１２９により録画ファイル一覧画面の表示が指示され、番組識別情報が指定されたことを検出することによりなされる。
【００９０】
ステップＳ４２では、指示された番組識別情報で特定される放送信号が代行録画されたか否かが判断される。代行録画であればステップＳ４３に進み、そうでなければステップＳ５１に進む。代行録画か否かの判断は、番組識別情報で特定される録画情報が代行依頼情報を含むか否かで判断する。ステップＳ５１では、番組識別情報で特定される録画情報を不揮発性メモリ１３３から読み出し、読み出した録画情報に含まれるアドレスに記憶されている放送信号を記録装置１２１から読み出す。そして、読み出した放送信号が復号されて再生される（ステップＳ５２）。次のステップＳ５３で再生が終了したか否かが判断され、再生が終了していなければステップＳ５１に戻り、再生が終了すれば処理を終了する。
【００９１】
ステップＳ４３では、電源確認信号を代行録画装置であるテレビジョン受像機１００Ａに送信する。代行録画装置の主電源がＯＮでなければ放送信号を送信できないため、録画予約設定装置が再生指示を送信する前に代行録画装置の主電源をＯＮにするためである。電源確認信号の送信先は、録画情報に含まれる装置識別情報により特定される。
【００９２】
電源確認信号は、代行録画装置であるテレビジョン受像機１００Ａで受信される（ステップＳ６１）。代行録画装置では、電源確認信号が受信されるまで待機状態となっており（ステップＳ６１でＮＯ）、電源確認信号が受信されればステップＳ６２に進む。すなわち、代行再生処理は、録画予約設定装置から信号が受信されることを条件に実行される処理である。代行録画装置では、主電源がＯＮか否かを判断し（ステップＳ６２）、ＯＮであればステップＳ６４に進むが、ＯＮでなければステップＳ６３に進む。ステップＳ６４では、電源ＯＮ信号を録画予約設定装置に送信してステップＳ６８に進む。ステップＳ６３では、電源ＯＦＦ信号を録画予約設定装置に送信してステップＳ６５に進む。
【００９３】
そして、予約設定装置では、代行録画装置から返信される信号に基づいて、代行録画装置の主電源がＯＮか否かを判断する（ステップＳ４４）。代行録画装置の主電源がＯＮであれば、ステップＳ４７に進むが、ＯＮでなければステップＳ４５に進む。ステップＳ４５では、電源投入指示を代行録画装置に送信する。
【００９４】
代行録画装置では、電源投入指示が受信されるまで待機状態となっており（ステップＳ６５でＮＯ）、電源投入指示が受信されるとステップＳ６６に進み、主電源をＯＮにすることにより電源を投入する。そして、電源投入完了信号を録画予約設定装置に送信する（ステップＳ６７）。録画予約設定装置では、代行録画装置から電源投入完了信号が受信されるまで待機状態となっており（ステップＳ４６でＮＯ）、電源投入完了信号が受信されるとステップＳ４７に進む。
【００９５】
録画予約設定装置では、再生指示を代行録画装置に送信する（ステップＳ４７）。代行録画装置では、再生指示が受信されるまで待機状態となっており（ステップＳ６８でＮＯ）、再生指示が受信されるとステップＳ６９に進む。ステップＳ６９では、録画情報に含まれる番組識別情報で特定される録画情報を不揮発性メモリ１３３から読み出し、読み出した録画情報に含まれるアドレスに記憶されている放送信号を記録装置１２１から読み出す。そして、読み出した放送信号を、再生指示を送信してきた録画予約設定装置に送信する（ステップＳ７０）。次のステップＳ７１で放送信号の送信が終了したか否かが判断され、送信が終了していなければステップＳ６９に戻り、送信が終了すれば、ステップＳ７２で主電源をＯＦＦにして処理を終了する。
【００９６】
代行録画装置が送信する放送信号は、予約録画設定装置で受信される（ステップＳ４８）。予約録画設定装置では、受信した放送信号が復号されて再生される（ステップＳ４９）。そして、再生が終了したか否かが判断され（ステップＳ５０）、終了すれば処理を終了し、終了していなければステップＳ４８に戻る。
【００９７】
以上説明したように本実施の形態における録画システム１は、ネットワーク２に接続された録画予約設定装置であるテレビジョン受像機１００と代行録画装置であるテレビジョン受像機１００Ａとを含む。録画予約設定装置であるテレビジョン受像機１００は、録画予約情報が入力されると、録画予約情報で定まる録画時間分の放送信号を記録装置１２１に残された残容量で録画できないと判定した場合、代行録画装置であるテレビジョン受像機１００Ａに代行録画指示を送信する。代行録画装置であるテレビジョン受像機１００Ａは、代行録画指示が受信され、かつ、録画予約情報で定まる録画時間分の放送信号を記録装置１２１に残された残容量で録画できると判定した場合、受信された代行録画指示に含まれる番組識別情報で特定される放送信号を録画する。このため、録画予約設定装置であるテレビジョン受像機１００に録画する残容量が残されていない場合であっても、ネットワークに接続された代行録画装置であるテレビジョン受像機１００Ａに放送信号を録画させることができる。また、代行録画装置で放送信号を録画するので、録画予約設定装置から放送信号を送信する必要がなく、ネットワークを有効に利用することができる。さらに、代行録画装置で録画中に録画予約設定装置に電源が投入されている必要はないので、消費電力を低減することができる。
【００９８】
また、録画予約設定装置であるテレビジョン受像機１００は、録画された放送信号に関連する録画情報を一覧表示する録画ファイル一覧画面を表示し、録画ファイル一覧画面は、代行録画指示されて録画されたことを示す代行依頼情報を表示する。このため、放送信号が他の録画装置に録画されたことをユーザに知らせることができる。
【００９９】
また、代行録画装置であるテレビジョン受像機１００Ａは、録画された放送信号に関連する録画情報を一覧表示する録画ファイル一覧画面を表示し、録画ファイル一覧画面は、他の録画装置から受信された録画予約情報に従って録画されたことを示す代行録画情報を表示するので、録画された放送信号が他の録画装置に代わって録画されたものであることをユーザに知らせることができる。
【０１００】
なお、上述した実施の形態においては、テレビジョン受像機１００，１００Ａについて説明したが、図６（Ａ）または図９（Ａ）に示した録画予約設定処理および図１２（Ａ）に示した再生処理をコンピュータに実行させる方法または代行録画指示プログラムとして発明を捉えることができるのは言うまでもない。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０２】
＜付記＞
（１）  前記第１の録画装置の前記代行録画指示手段は、前記第２の録画装置に前記録画予約情報を送信して、代行録画が可能か否かを示す代行録画可否情報を受信する代行録画可否調査手段を含み、
前記第２の録画装置の前記録画制御手段は、前記比較手段による比較結果により定まる代行録画可否情報を前記第１の録画装置に送信する代行録画可否情報送信手段を含む、請求項１に記載の録画システム。
（２）  前記第１の録画装置の前記代行録画指示手段は、前記複数の録画装置のうちから前記第２の録画装置を選択する選択手段をさらに含む、請求項２に記載の録画システム。
（３）  前記代行録画指示手段は、前記他の録画装置が複数ある場合、代行録画が可能を示す代行録画可否情報を最初に送信してきた録画装置に前記録画予約情報に基づく録画を指示する、請求項３に記載の録画装置。
（４）  前記代行録画指示手段は、前記他の録画装置が複数ある場合、代行録画が可能を示す代行録画可否情報を送信してきた録画装置のうちからいずれか１つを選択する選択手段をさらに含む、請求項３に記載の録画装置。
（５）  ネットワークに接続され、該ネットワークに接続された他の録画装置と通信可能な録画装置で実行される代行録画指示プログラムあって、
放送信号を入力するステップと、
少なくとも録画時間を含む録画予約情報を前記他の録画装置から受信するステップと、
前記受信された録画予約情報で定まる録画時間分の放送信号を録画するのに必要な記録容量を算出するステップと、
前記算出された記録容量と残された残容量とを比較するステップと、
前記比較結果に基づいて、前記受信された録画予約情報に従って前記入力された放送信号を録画するステップと、をコンピュータに実行させる代行録画プログラム。
【図面の簡単な説明】
【０１０３】
【図１】本発明の実施の形態の１つにおける録画システムの全体概要を示す図である。
【図２】テレビジョン受像機の構成の概略を示す図である。
【図３】録画初期設定画面の一例を示す図である。
【図４】システムコントローラの録画予約設定時における機能を示す機能ブロック図である。
【図５】録画予約設定画面の一例を示す図である。
【図６】本実施の形態における録画システムで実行される代行録画処理の流れを示すフローチャートである。
【図７】録画予約設定装置で表示される録画ファイル一覧画面の一例を示す図である。
【図８】代行録画装置で表示される録画ファイル一覧画面の一例を示す図である。
【図９】本実施の形態における録画システムで実行される代行録画処理の流れを示す別のフローチャートである。
【図１０】テレビジョン受像機に表示される録画予約設定画面の別の例を示す図である。
【図１１】システムコントローラのファイル再生時における機能を示す機能ブロック図である。
【図１２】本実施の形態における録画システムで実行される再生処理の流れを示すフローチャートである。
【符号の説明】
【０１０４】
１  録画システム、２  ネットワーク、１１  予約設定部、１２  予約情報受信部、１３  比較部、１４  記録容量算出部、１５  代行録画指示部、１６  代行録画可否調査部、１７  録画制御部、１８  代行録画可否送信部、２１  録画情報表示部、２３  再生指示入力部、２５  再生指示送信部、２７  放送信号受信部、３１  再生指示受信部、３３  放送信号送信部、３５  電源投入部、３７  録画情報表示部、１００，１００Ａ  テレビジョン受像機、１０１  システムコントローラ、１０２  アンテナ、１０３  チューナ、１０５  デマルチプレクサ、１０７  ＡＶデコーダ、１０９  映像処理回路、１１０  加算器、１１１  音声処理回路、１１３  映像出力回路、１１５  音声出力回路、１１７  ＡＶエンコーダ、１１８  マルチプレクサ、１１９  切換部、１２１  記録装置、１２３  ＯＳＤ表示回路、１２５  通信Ｉ／Ｆ、１２７  電源回路、１２９  リモコン受光器、１３１  リモコン送信機、１３３  不揮発性メモリ、１３５  操作部、２００  コンピュータ。
【図１】
2007049538.tif 000003
【図２】
2007049538.tif 000004
【図３】
2007049538.tif 000005
【図４】
2007049538.tif 000006
【図５】
2007049538.tif 000007
【図６】
2007049538.tif 000008
【図７】
2007049538.tif 000009
【図８】
2007049538.tif 000010
【図９】
2007049538.tif 000011
【図１０】
2007049538.tif 000012
【図１１】
2007049538.tif 000013
【図１２】
2007049538.tif 000014